(57)【要約】【課題】  本発明はスナゴケを用いた緑化事業において課題とされる植生の安定的確保を、緑化施工後数年を経過した植生シートの交換・回収によって解決するための緑化施工システム及び維持管理手法と、植生の回収及び再利用を可能とする植生シートの仕様及び圃場栽培手法を提供すること。【解決手段】  スナゴケ（Ｒｈａｃｏｍｉｔｒｉｕｍ  Ｃａｎｅｓｃｅｎｓ）を植生とし、１ｍ２あたり乾燥重量１２０〜１５０ｇのスナゴケ（Ｒｈａｃｏｍｉｔｒｉｕｍ  Ｃａｎｅｓｃｅｎｓ）を均一に敷設した一定形状のニードルパンチカーペットからなる緑化シートが着脱部材を介してトレイに着脱自在に設けられてなることを特徴とする緑化ユニット【選択図】  図１
2016182097.tif 000002
【特許請求の範囲】
【請求項１】
スナゴケ（Ｒｈａｃｏｍｉｔｒｉｕｍ  Ｃａｎｅｓｃｅｎｓ）を植生とし、１ｍ２あたり乾燥重量１２０〜１５０ｇのスナゴケ（Ｒｈａｃｏｍｉｔｒｉｕｍ  Ｃａｎｅｓｃｅｎｓ）を均一に敷設した一定形状のニードルパンチカーペットからなる緑化シートが着脱部材を介してトレイに着脱自在に設けられてなることを特徴とする緑化ユニット。
【請求項２】
スナゴケ（Ｒｈａｃｏｍｉｔｒｉｕｍ  Ｃａｎｅｓｃｅｎｓ）が変色した場合に着脱部材を介してトレイから緑化シートをはずし回収し、着脱部材を介して新しい緑化シートを取り付けることで緑化シートの交換が可能なトレイを備えてなることを特徴とする請求項１記載の緑化ユニット。
【請求項３】
（Ａ）着脱部材を介してスナゴケ（Ｒｈａｃｏｍｉｔｒｉｕｍ  Ｃａｎｅｓｃｅｎｓ）が変色した緑化シートをトレイからはずし回収する工程と、（Ｂ）前記工程（Ａ）の後回収した緑化シートからスナゴケ（Ｒｈａｃｏｍｉｔｒｉｕｍ  Ｃａｎｅｓｃｅｎｓ）だけを収穫し乾燥させる工程と、（Ｃ）前記工程（Ｂ）の後に種苔として新しいニードルパンチカーペットに敷設する工程と、（Ｄ）前記工程（Ｃ）の後に、圃場で数か月栽培して新しい緑化シートを製造する工程を含む請求項１に記載の緑化シートの製造方法。
【請求項４】
スナゴケ（Ｒｈａｃｏｍｉｔｒｉｕｍ  Ｃａｎｅｓｃｅｎｓ）を均一に敷設した一定形状のニードルパンチカーペットに同形状の編み込み間隔５ｍｍ〜１０ｍｍの飛散防止ネットを重ねる工程と、ミシンを用いて縫合間隔７０ｍｍ〜２５０ｍｍで縫合する工程をさらに含むことを特徴とする請求項３に記載の緑化シートの製造方法。
【請求項５】
前記スナゴケ（Ｒｈａｃｏｍｉｔｒｉｕｍ  Ｃａｎｅｓｃｅｎｓ）を均一に敷設したニードルパンチカーペットに飛散防止ネットを重ね、文字、図形、記号などの形状に縫合した後に、縫合した箇所以外を除くことで緑化シートを任意の形状にできることを特徴とする請求項４記載の緑化シートの製造方法。
【発明の詳細な説明】
【技術分野】
【０００１】
本発明はスナゴケ（Ｒｈａｃｏｍｉｔｒｉｕｍ  Ｃａｎｅｓｃｅｎｓ）を用いた緑化事業において課題とされる植生の安定的確保を、緑化施工後数年を経過した植生シートの交換・回収によって解決するための緑化施工システム及び維持管理手法と、植生の回収及び再利用を可能とする植生シートの仕様及び圃場栽培手法に関するものである。
【背景技術】
【０００２】
従来のスナゴケ（Ｒｈａｃｏｍｉｔｒｉｕｍ  Ｃａｎｅｓｃｅｎｓ）を用いた緑化事業においては、植生の安定的確保が課題であり、季節変動の激しい山野からの採取や、広大な圃場での長期間栽培（通常２〜３年程度）に頼らざる得ないため、製品の安定供給及び低価格化による市場拡大が困難であった。
またスナゴケ（Ｒｈａｃｏｍｉｔｒｉｕｍ  Ｃａｎｅｓｃｅｎｓ）は緑化施工後、潅水や施肥・除草といったメンテナンスが原則不要な植生であるが、３〜５年の周期で世代交代し、その結果美観が悪化することがあった。
【０００３】
スナゴケ（Ｒｈａｃｏｍｉｔｒｉｕｍ  Ｃａｎｅｓｃｅｎｓ）以外には芝やセダム（Ｓｅｄｕｍ）といった他の植生を利用できるが、それらは一度施工すると完全撤去が難しいうえ固定資産の扱いとなるため、試用による効果の確認が困難であり、緑化施工の普及を妨げる大きな要因となっていた。
【０００４】
特許文献１にはコケ植物を用いた緑化工法が記載されている。詳しくはスナゴケ（Ｒｈａｃｏｍｉｔｒｉｕｍ  Ｃａｎｅｓｃｅｎｓ）或いはスナゴケ（Ｒｈａｃｏｍｉｔｒｉｕｍ  Ｃａｎｅｓｃｅｎｓ）にハイゴケ（Ｈｙｐｎｕｍ Ｐｌｕｍａｅｆｏｒｍｅ）とフデゴケ（Ｃａｍｐｙｌｏｐｕｓ ｕｍｂｅｌｌａｔｕｓ）の一方或いは双方を混生させた混生物を硬化促進剤と水硬化性有機高分子多孔質接着剤とを反応させ施行面に固着させる方法が記載されている。
【０００５】
特許文献２には苔緑化ユニットが記載されている。詳しくはトレイ内部に配置する保水基盤と、保水基盤状に配置する生育基板と、生育基板に育成する苔とからなる苔緑化ユニットが記載されている。
【先行技術文献】
【特許文献】
【０００６】
【特許文献１】特許第５０３９６６３号
【特許文献２】特開２０１４―１０８０５６号公報
【発明の概要】
【発明が解決しようとする課題】
【０００７】
しかしながら、これらの緑化方法及び緑化ユニットはスナゴケ（Ｒｈａｃｏｍｉｔｒｉｕｍ  Ｃａｎｅｓｃｅｎｓ）が変色し美観が悪くなった際に、スナゴケ（Ｒｈａｃｏｍｉｔｒｉｕｍ  Ｃａｎｅｓｃｅｎｓ）が変色した箇所だけを交換することができず、緑化ユニットすべてを取外し交換する必要があり費用と手間がかかった。
またこれらの緑化ユニットは使用するコケ類をいかに費用がかからずに用意するかという課題があった。
【課題を解決するための手段】
【０００８】
この発明は従来のスナゴケ（Ｒｈａｃｏｍｉｔｒｉｕｍ  Ｃａｎｅｓｃｅｎｓ）の安定的確保、緑化施工３〜５年経過時の美観性低下に対する配慮及び緑化施工の普及を促す販売促進ツールの開発を目的とする。
【０００９】
請求項１に記載の発明は、スナゴケ（Ｒｈａｃｏｍｉｔｒｉｕｍ  Ｃａｎｅｓｃｅｎｓ）を植生とし、１ｍ２あたり乾燥重量１２０〜１５０ｇのスナゴケ（Ｒｈａｃｏｍｉｔｒｉｕｍ  Ｃａｎｅｓｃｅｎｓ）を均一に敷設した一定形状のニードルパンチカーペットからなる緑化シートが着脱部材を介してトレイに着脱自在に設けられてなることを特徴とする緑化ユニットに関する。
【００１０】
請求項２に記載の発明は、スナゴケ（Ｒｈａｃｏｍｉｔｒｉｕｍ  Ｃａｎｅｓｃｅｎｓ）が変色した場合に着脱部材を介してトレイから緑化シートをはずし回収し、着脱部材を介して新しい緑化シートを取り付けることで緑化シートの交換が可能なトレイを備えてなることを特徴とする請求項１記載の緑化ユニットに関する。
【００１１】
請求項３に記載の発明は（Ａ）着脱部材を介してスナゴケ（Ｒｈａｃｏｍｉｔｒｉｕｍ  Ｃａｎｅｓｃｅｎｓ）が変色した緑化シートをトレイからはずし回収する工程と、（Ｂ）前記工程（Ａ）の後回収した緑化シートからスナゴケ（Ｒｈａｃｏｍｉｔｒｉｕｍ  Ｃａｎｅｓｃｅｎｓ）だけを収穫し乾燥させる工程と、（Ｃ）前記工程（Ｂ）の後に種苔として新しいニードルパンチカーペットに敷設する工程と、（Ｄ）前記工程（Ｃ）の後に、圃場で数か月栽培して新しい緑化シートを製造する工程を含む請求項１に記載の緑化シートの製造方法に関する。
【００１２】
請求項４に記載の発明は、スナゴケ（Ｒｈａｃｏｍｉｔｒｉｕｍ  Ｃａｎｅｓｃｅｎｓ）を均一に敷設した一定形状のニードルパンチカーペットに同形状の編み込み間隔５ｍｍ〜１０ｍｍの飛散防止ネットを重ねる工程と、ミシンを用いて縫合間隔７０ｍｍ〜２５０ｍｍで縫合する工程をさらに含むことを特徴とする請求項３に記載の緑化シートの製造方法に関する。
【００１３】
請求項５に記載の発明は、前記スナゴケ（Ｒｈａｃｏｍｉｔｒｉｕｍ  Ｃａｎｅｓｃｅｎｓ）を均一に敷設したニードルパンチカーペットに飛散防止ネットを重ね文字の形に縫合し、縫合した箇所以外を除くことで緑化シートを文字の形状にすることを特徴とする請求項４記載の緑化シートの製造方法に関する。
【発明の効果】
【００１４】
請求項１に記載の発明はスナゴケ（Ｒｈａｃｏｍｉｔｒｉｕｍ  Ｃａｎｅｓｃｅｎｓ）を植生とし、１ｍ２あたり乾燥重量１２０〜１５０ｇのスナゴケ（Ｒｈａｃｏｍｉｔｒｉｕｍ  Ｃａｎｅｓｃｅｎｓ）を均一に敷設した一定形状のニードルパンチカーペットからなる緑化シートと着脱が可能であるパネルから構成されていることで、緑化シートだけ変えることができるため緑化ユニットごと変える必要がなく、経済的である。
【００１５】
請求項２に記載の発明は前記着脱部材を備え、スナゴケ（Ｒｈａｃｏｍｉｔｒｉｕｍ  Ｃａｎｅｓｃｅｎｓ）が変色した場合に緑化シートを回収して新しい緑化シートと交換することが可能なトレイから構成されていることで美観の低下を防ぐことが出来る。
【００１６】
請求項３に記載の発明は回収した緑化シートから収穫し乾燥させたスナゴケ（Ｒｈａｃｏｍｉｔｒｉｕｍ  Ｃａｎｅｓｃｅｎｓ）を種苔として用い、ニードルパンチカーペットに敷設しその後圃場で数か月栽培させて製造することで、スナゴケ（Ｒｈａｃｏｍｉｔｒｉｕｍ  Ｃａｎｅｓｃｅｎｓ）を山などの自然から採取する手間が省けかつ安定的にスナゴケを供給でき経済的である。
【００１７】
請求項４に記載の発明はスナゴケ（Ｒｈａｃｏｍｉｔｒｉｕｍ  Ｃａｎｅｓｃｅｎｓ）を均一に敷設した一定形状のニードルパンチカーペットに同形状の編み込み間隔５ｍｍ〜１０ｍｍの飛散防止ネットを重ね、ミシンで縫合間隔７０ｍｍ〜２５０ｍｍで縫合し作成することで気候による種苔の飛散を防ぎ、確実に養生できる。
【００１８】
請求項５に記載の発明は、前記スナゴケ（Ｒｈａｃｏｍｉｔｒｉｕｍ  Ｃａｎｅｓｃｅｎｓ）を均一に敷設したニードルパンチカーペットに飛散防止ネットを重ね文字の形に縫合し、縫合した箇所以外を除くことで緑化シートを文字の形状にすることができる。
【図面の簡単な説明】
【００１９】
【図１】緑化ユニットを組み合わせた図である。
【図２】緑化シートからスナゴケ（Ｒｈａｃｏｍｉｔｒｉｕｍ  Ｃａｎｅｓｃｅｎｓ）を回収する様子と回収したスナゴケの図である。
【図３】緑化シート、トレイ及びそれらを組み合わせた図である。
【図４】養生した緑化シートの図である。
【図５】緑化ユニットを屋上に取り付けた様子を表した例である。
【図６】スナゴケ（Ｒｈａｃｏｍｉｔｒｉｕｍ  Ｃａｎｅｓｃｅｎｓ）を装飾に用いた例である。
【発明を実施するための形態】
【００２０】
以下本発明の実施例を説明する。
この発明に用いるスナゴケ（Ｒｈａｃｏｍｉｔｒｉｕｍ  Ｃａｎｅｓｃｅｎｓ）はギボウシゴケ科シモフリゴケ属に属する蘚類であり、乾燥に強く無潅水状態で仮死状態になり３か月程度は雨がなくとも生存できる。
また日光に強く、乾燥状態では６０度ほどの熱に耐えることができ、小型であるため日光があたり潅水できない屋上緑化には用いやすい植物である。また常緑植物であるため枯葉等が存在せず、植生シートにも土壌等を必要としないため、ゴミや土壌の流出対策が不要となり、樋の清掃メンテナンスも原則不要である。
苔の長さは１ｃｍ〜２ｃｍが良く最適は１．５ｃｍである。
スナゴケはエゾスナゴケ、ハイスナゴケ等の種類があり、これらを用いることができる。
スナゴケ（Ｒｈａｃｏｍｉｔｒｉｕｍ  Ｃａｎｅｓｃｅｎｓ）の種類では特にエゾスナゴケ（Ｒａｃｏｍｉｔｒｉｕｍ  Ｊａｐｏｎｉｃｕｍ）は霜や積雪、凍結に強く寒冷によっても枯死しないため好ましいが、これに限定しない。
【００２１】
緑化シートは、スナゴケ（Ｒｈａｃｏｍｉｔｒｉｕｍ  Ｃａｎｅｓｃｅｎｓ）をニードルパンチカーペットへ敷設する量は、栽培シート１ｍ２あたりスナゴケ（Ｒｈａｃｏｍｉｔｒｉｕｍ  Ｃａｎｅｓｃｅｎｓ）の乾燥重量（吸水率１０％程度）にて１２０ｇ〜１５０ｇが適切である。ただし、特に美観を優先する場合は最大１８０ｇ／ｍ２まで敷設量を増加させることができる。栽培シートを型枠に入れ、その上から乾燥稚苗を篩でふるいながら均一に敷設する。ニードルパンチカーペットの上に均一になるように苔の位置を調整してもよい。
スナゴケ（Ｒｈａｃｏｍｉｔｒｉｕｍ  Ｃａｎｅｓｃｅｎｓ）を栽培・定着させるニードルパンチカーペットは、厚み３．０ｍｍ、乾燥時密度３０ｍｇ／ｃｍ２、吸水時密度２００〜２５０ｍｇ／ｃｍ２のポリエステルまたはポリプロピレン製がスナゴケ（Ｒｈａｃｏｍｉｔｒｉｕｍ  Ｃａｎｅｓｃｅｎｓ）原糸体との親和性や吸水量・透水量・耐久性の面から望ましく、ニードルパンチカーペットの色は、栽培中に避けられない一部の藻類の繁茂を美観上目立たなくするため、また、スナゴケ（Ｒｈａｃｏｍｉｔｒｉｕｍ  Ｃａｎｅｓｃｅｎｓ）の吸水時における緑色を際立たせる効果から、黒色が望ましい。
養生した緑化シートはトレイを用いた緑化ユニットに固定し使用する。緑化シートはトレイの大きさに合わせ1枚以上取り付けるものとし、またトレイは緑化する屋上、壁面に合わせ1以上設置することとする。
【００２２】
緑化ユニットの固定方法は屋上や壁面にパネルを設置し、該パネルに設けられた取付け穴に植生シートを着脱部材によって固定する。
着脱部材はブラッシュクリップやボルトなどから選択される１つあるいはそれらの組み合わせにより固定してもよいが、施工フレーム及び緑化ユニットを撤去することなく緑化シートのみを交換することができ、施工後数年を経過した植生シートからのエゾスナゴケ回収と再利用が可能となるためブラッシュクリップを用いることが好ましい。
ブラッシュクリップを用いる場合は植生シート及びブラッシュクリップの耐用年数は３〜５年（気候による変動を含む）でありエゾスナゴケ植生の世代交代による美観性低下のサイクルと同等であることから緑化施工後の緑化シート交換は３〜５年で行うことが望ましい。
植生シートは保水性が低く薄層のものを使用することで、飛来する雑草の繁茂を抑制することが可能となり、同時に腐敗も抑制されるため、除草剤等の薬剤散布は原則不要となる。
【００２３】
スナゴケを活用した緑化施工における維持管理は、施工直後１〜３か月程度、遮光率５０〜７５％の遮光ネットによる被覆を行い、緑化シートへの定着と成長を促した後、植生の世代交代がはじまる３〜５年までの間に潅水（施肥）・除草・薬剤散布・清掃等のメンテナンスを行わずに日光と雨水のみで生育させ、植生の世代交代開始に合わせて着脱部材の取り外しによる植生シートを回収し新しい緑化シートをトレイに取り付けて交換を行う事とする。
【００２４】
回収した緑化シートからヘラなどでスナゴケだけを収穫し、乾燥させる。乾燥後種苔として新しいニードルパンチカーペットに敷設し圃場で栽培する。
ニードルパンチカーペットの大きさに対応した樹脂トレイや、防草シートの上に並べて圃場に敷設し、遮光率５０〜７５％の遮光ネットによって被覆して栽培することを基本とする。  
遮光ネットは強風で飛散しないよう、杭などで地面に固定するなどの必要がある。
スナゴケ（Ｒｈａｃｏｍｉｔｒｉｕｍ  Ｃａｎｅｓｃｅｎｓ）の栽培シートからの剥離・飛散を防止するために、スナゴケ（Ｒｈａｃｏｍｉｔｒｉｕｍ  Ｃａｎｅｓｃｅｎｓ）を敷き均した栽培シートの上からナイロン製の飛散防止ネットをミシン縫いによって縫合固定することができ、縫い合わせる前にホッチキスで仮止めするとさらに縫いやすく好ましい。
飛散防止ネットの網目の長手方向を縦に向けることで栽培シートの湾曲を防ぐことができるため好ましい。
飛散防止ネットの縫い方はまず斜めに交差するように２回以上縫う。そうすることで飛散防止ネットの伸びを防ぐことが出来る。その後縫い終わりから４５度回転させて外周を縫い、最後に余分な糸を切り取る。
飛散防止ネットは５ｍｍ程度の編み込み間隔とし、スナゴケ（Ｒｈａｃｏｍｉｔｒｉｕｍ  Ｃａｎｅｓｃｅｎｓ）の吸水時における緑色を際立たせる効果から、黒色が望ましい。
栽培シートと飛散防止ネットを縫合する糸は、耐久性に優れたジーンズステッチ糸とし、色彩も黒色が望ましい。
ミシン縫いの縫合間隔は、スナゴケ（Ｒｈａｃｏｍｉｔｒｉｕｍ  Ｃａｎｅｓｃｅｎｓ）に対する縫合による圧力の影響を小さくするために７ｃｍ程度を最小間隔とし、剥落を防止するために２５ｃｍ程度を最大間隔とすることが望ましい。
【００２５】
スナゴケ（Ｒｈａｃｏｍｉｔｒｉｕｍ  Ｃａｎｅｓｃｅｎｓ）を栽培する方法としてネット栽培、三国砂栽培が考えられ、それらの栽培方法と本発明のニードルパンチカーペットを用いたシート栽培を、苔が２ｃｍ程度に成長するまでの期間を測定した結果で比較したのが下記の表１である。
表1
2016182097.tif 000003
苔が２ｃｍに成長するまでにはネット栽培だと３〜４年かかるが、三国砂栽培やシート栽培では１年〜１．５年と約半分で良い。
苔の定着は三国砂栽培ではスナゴケ（Ｒｈａｃｏｍｉｔｒｉｕｍ  Ｃａｎｅｓｃｅｎｓ）が定着せず風雨で流されるロスが生じるが、ネット栽培ではネットに絡んで、シート栽培では繊維に根を張るため流出飛散することが無い。
作業性の面では、ネット栽培は軽量である反面植え付けが困難であり、三国砂栽培は植え付けが容易である反面非常に重いのに対し、シート栽培は軽量で植えつけやすいという利点がある。
またネット栽培では全量回収が難しくまた栽培が長期にわたるためカビや病変部のロスが生じ、三国砂栽培では全量回収が可能である反面砂が混じるため洗浄する手間がかかるが、シート栽培は異物の混入が略無いため洗浄の必要が無く、また全量回収できるという利点がある。
以上のことから本件発明のニードルパンチカーペットを用いたシート栽培が優れていることがわかる。
【００２６】
夏季潅水による水やけ現象を抑制するために圃場の潅水は原則行わないものとし、遮光ネットによる疑似的な潅水効果によって成長促進させることとする。
圃場への潅水が必要な場合は潅水に適した期間である４月、５月、１０月に行うことが好ましい。
圃場栽培における栽培は一般的な液体肥料を使用することが出来る。
２年栽培し比較した結果肥料無しが４４２ｇ／ｍ２だったのに対し肥料有は５４０ｇ／ｍ２と乾燥重量にして１．３倍程度の成長促進効果を得ることができる。
雑草が生えてきた場合は、栽培しているスナゴケ（Ｒｈａｃｏｍｉｔｒｉｕｍ  Ｃａｎｅｓｃｅｎｓ）を枯死させずに圃場に繁茂する雑草を除去するために除草剤を用いることができ、スナゴケ（Ｒｈａｃｏｍｉｔｒｉｕｍ  Ｃａｎｅｓｃｅｎｓ）は地中からの水分供給に頼ることが出来ないため、根から効果を発揮する顆粒タイプの除草剤による影響を受けにくく好ましい。
【００２７】
植生シートの養生は３ヶ月から６ヶ月が好ましいが、１日の平均気温が２０℃を超える６月〜８月の期間で毎夕の潅水を行うと、スナゴケ（Ｒｈａｃｏｍｉｔｒｉｕｍ  Ｃａｎｅｓｃｅｎｓ）に保水された水分が日射によって３０℃以上になりその結果スナゴケ（Ｒｈａｃｏｍｉｔｒｉｕｍ  Ｃａｎｅｓｃｅｎｓ）の茶変色現象（水焼け現象）が誘発されるため潅水は原則禁止とするが、雨水を得られない屋内や庇の下部ではその限りでない。
植生を養生するときに敷設直後から１か月〜３か月程度、遮光率５０〜７０％の遮光ネットによる被覆栽培を行う事で、保水効果と温度低減効果により苔の催芽分枝及び成長が促進される。
特に水やけ現象の危険性が伴い潅水できない夏季における遮光効果は高く、夏季に休眠期に入るスナゴケが成長し、且つ、美しい緑色を保つことができる。
敷設後３ヶ月経過した苔の長さは遮光なしが５ｍｍ程度だったが、７０％遮光した場合は１５ｍｍと約３倍長くなった。
また植生シートを圃場栽培によって１年〜１．５年栽培させ、スナゴケ（Ｒｈａｃｏｍｉｔｒｉｕｍ  Ｃａｎｅｓｃｅｎｓ）の長さが２０ｍｍ程度になったものは植生シートの種苔として使用できる。
【００２８】
図１から図４にはスナゴケ（Ｒｈａｃｏｍｉｔｒｉｕｍ  Ｃａｎｅｓｃｅｎｓ）を用いた植生シートからスナゴケ（Ｒｈａｃｏｍｉｔｒｉｕｍ  Ｃａｎｅｓｃｅｎｓ）を回収し再利用をするサイクルの一例を示した図である。
Ａは緑化ユニットを表した図である。緑化シートとトレイを組み合わせたものを複数枚用いて緑化ユニットを形成する。
Ｂは緑化ユニットからトレイを残して、植生シートする様子を表した図である。
施工後３〜５年を経過した頃（世代交代による変色が始まった頃）に、植生シートだけを取り外し新たなシートと交換する。
Ｃは植生シートからスナゴケ（Ｒｈａｃｏｍｉｔｒｉｕｍ  Ｃａｎｅｓｃｅｎｓ）（以下植生）を回収している様子を表している。
このようにスナゴケ（Ｒｈａｃｏｍｉｔｒｉｕｍ  Ｃａｎｅｓｃｅｎｓ）を回収し、新たな緑化シートの種苔とすることが出来る。
Ｄは回収されたスナゴケ（Ｒｈａｃｏｍｉｔｒｉｕｍ  Ｃａｎｅｓｃｅｎｓ）（植生）を表した図である。
回収されたスナゴケ（Ｒｈａｃｏｍｉｔｒｉｕｍ  Ｃａｎｅｓｃｅｎｓ）（植生）はおおよそ２〜３ｃｍの長さになっている。
Ｅは回収された植生を使って、新たな植生シートを作成した図である。
Ｆは植生シートを置くトレイの図である。
Ｇは植生シートをトレイに置く図である。
Ｈはトレイに置いた植生シートを養生した図である。
そして緑化ユニットを組み合わせることでＡに戻る。
以降、Ａ〜Ｆの繰り返しによってスナゴケ（Ｒｈａｃｏｍｉｔｒｉｕｍ  Ｃａｎｅｓｃｅｎｓ）を安定的に確保し、広大な栽培圃場を保有することなく、事業規模を拡大できる。
【実施例】
【００２９】
図５は陸屋根に固定する施工例である。
【００３０】
緑化施工の全撤去が可能であることから、顧客が緑化施工に関する様々な検討（費用対効果の確認、スナゴケ緑化が有するメンテナンスフリーの確認等）を実施しやすくする利点が生じ、また期間限定のリース事業展開が可能となり、緑化施工をリース費（経費計上）として試用できるため、緑化施工の普及促進が期待できる。
【００３１】
この発明を応用しフレームの小型化による据え置き式のキットを使用することにより、スナゴケ（Ｒｈａｃｏｍｉｔｒｉｕｍ  Ｃａｎｅｓｃｅｎｓ）によるメンテナンスフリーの緑化や、この緑化による美観を活用できる。
これらの緑化施工事業、キット、デザイン施工は、本発明による植生シートが持つ形状・寸法の自在性に基づくものであり、従来技術では実現が困難な独自性を有する。
図６は本発明をアルファベット型に加工し、看板に用いた図である。
植生シートに飛散防止ネットを縫合する際に、文字や図形あるいは記号などの形状に縫合し、縫合した箇所以外を取り除くことでさまざまな形に加工する。
作成した植生シートは看板などに取り付けることより作成することができる。
【産業上の利用可能性】
【００３２】
スナゴケを用いた緑化施工、施工の難しさや植生供給の不安定さを起因とする高価格化、維持管理に関する正しい知識の欠如により、十分に普及しているとはいえない。
この発明は、植生のリサイクルによる安定供給や設置・撤去が容易な施工システムであるから植生シートの特性を生かしたデザイン施工に優れ、地球温暖化対策やヒートアイランド現象抑制を目的とした屋上緑化施工にも寄与する。
【図１】
2016182097.tif 000004
【図２】
2016182097.tif 000005
【図３】
2016182097.tif 000006
【図４】
2016182097.tif 000007
【図５】
2016182097.tif 000008
【図６】
2016182097.tif 000009